(57)【要約】      （修正有）【課題】録音装置を省いて軽量で携帯に便利にし、ウオーキング・散歩途中に公園などでラジオ体操を楽しみ、また、公共放送ＡＭ第一が国内全域で自動聴取できるようにして地震などの災害時の緊急情報源とし、さらに日常ではニュ−ス・娯楽放送を楽しむことができるラジオ体操録音内蔵再生専用防災携帯ラジオを提供する。【解決手段】ラジオ体操録音内蔵再生専用防災携帯ラジオの本体は、プラスチック又は金属製であり、本体表面には、スイッチ・ボリュ−ム（左回り・右回り）、と音声が聞こえる小さな穴が開いている。また、本体内部には、音声ＬＳＩ、マイコン、発振機、公共放送ＡＭ第一自動受信機、スピ−カ−、電池（又は充電式）が配置され、本体の上にハンドストラップの工夫がされている。本体裏面には、電池交換口（又は充電式）、小型形態には帽子などに差込み・掛け止めのできる工夫もされている。【選択図】図１
0003182918.tif 000002
【実用新案登録請求の範囲】
【請求項１】
本体内部には、音声ＬＳＩ、マイコン、発振機、公共放送ＡＭ第一自動受信機、スピ−カ−、電池（又は充電式）が共に内蔵しており、本体表面（又は側面）にスイッチ・ボリュウム（左回りラジオ、右回りラジオ体操）を設けた小型軽量を特徴とするラジオ体操録音内蔵再生専用防災携帯ラジオ。
【考案の詳細な説明】
【技術分野】
【０００１】この考案は、ラジオ体操録音内蔵再生と公共放送ＡＭ第一自動受信に関する。
【背景技術】
【０００２】従来のラジオ体操録音・録画商品（ＣＤ，カセット，ビデオテ−プ）は（ＣＤプレ−ヤ−，パソコンドライブ，カセットデッキ，ビデオデッキ）を使用して再生しており、ラジオは放送受信のみで聴取している。【０００３】ラジオ体操は、１９２８年（昭和３年）に「国民保険体操」として制定され、１９５１〜１９５２年（昭和２６年〜２７年）に「ラジオ体操第一・第二」として再編成された。
現在のラジオ体操、テレビ体操は一定の時間に放送、放映されている。【０００４】従来のラジオ体操録音・録画商品はＣＤ・カセット・ビデオテ−プである。【０００５】現在のラジオ放送は多数のヘルツにより送信されている。
【考案が解決しようとする課題】
【０００６】以上の技術によれば、ラジオ体操録音・録画商品は再生機器を使用したり、時間的制約を受けて不便であり、ラジオ放送は受信ヘルツが多数で、地震など緊急情報聴取が複雑である。
そこで、この考案は、再生機器を使用しないで自由な時間に利用できる、再生専用携帯機と公共放送ＡＭ第一を全国どこでも自動受信により簡単に聴取することを課題とする。
【課題を解決しようとする手段】
【０００７】以上の課題を解決するために、
第一考案は、ラジオ体操録音内蔵を特徴とする再生専用携帯ラジオである。
第二考案は、自由な時間にラジオ体操が聞こえる再生専用携帯ラジオである。
第三考案は、公共放送ＡＭ第一が自動的に受信できる防災携帯ラジオである。
【考案の効果】
【０００８】第一考案、第二考案、第三考案によれば、ラジオ体操を聞くのに別の再生機器を使用しなくてよく、また、軽量携帯ラジオなので屋内外どこでも自分の都合に合わせて、ラジオ体操を行なうことができる。また、地震など災害緊急時に、公共放送ＡＭ第一自動受信ラジオから緊急情報を聴取して、身の安全・火災予防・避難などの対応を迅速に行なうことができ防災に役立つ。
【考案を実施するための最良の形態】
【０００９】この考案の一実施形態を、図１・図２・図３に示す。
ラジオ体操録音内蔵再生専用防災携帯ラジオの本体は、プラスチック又は金属製であり、本体表面には、スイッチ・ボリュ−ム（左回り・右回り）、と音声が聞こえる小さな穴が開いている。また、本体内部には、音声ＬＳＩ、マイコン、発振機、公共放送ＡＭ第一自動受信機、スピ−カ−、電池（又は充電式）が配置され、本体の上にハンドストラップの工夫がされている。本体裏面には、電池交換口（又は充電式）、小型形態には帽子などに差込み・掛け止めのできる工夫もされている。本体表面と裏面は合体しており美しいカラ−で、形は長方形、正方形、または、丸みをおびている。
サイズは（横１０ｃｍ〜５ｃｍ・高さ６ｃｍ〜３・５ｃｍ・幅３ｃｍ〜１・３ｃｍ）で用途により、大型・中型・小型の形態が可能である。
【実施形態の効果】
【０００１０】この実施形態によれば、録音装置がないため軽量で携帯に便利、ウオ−キング・散歩途中に公園などでラジオ体操を楽しみ健康増進に役立つ。また、公共放送ＡＭ第一が国内全域で自動聴取できるので地震などの災害時の緊急情報源として、日常ではニュ−ス・娯楽放送を楽しむことができる。
【他の実施形態】
【００１１】考案の名称はラジオ体操録音内蔵再生専用防災携帯ラジオで、技術分野はラジオ体操録音内蔵再生機能及び携帯ラジオに関しているが、下記１〜９に示したように、他の商品にラジオ体操録音内蔵再生機能を組み込んでも良い。
１・  ラジオ体操録音内蔵再生機能  ＋  録音再生携帯機
２・  ラジオ体操録音内蔵再生機能  ＋  録画再生携帯機
３・  ラジオ体操録音内蔵再生機能  ＋  録音・録画再生携帯機
４・  ラジオ体操録音内蔵再生機能  ＋  録画内蔵再生携帯機
５・  ラジオ体操録音内蔵再生機能  ＋  録音・録画内蔵再生携帯機
６・  ラジオ体操録音内蔵再生機能  ＋  携帯電話
７・  ラジオ体操録音内蔵再生機能  ＋  テレビ（携帯テレビ）
８・  ラジオ体操録音内蔵再生機能  ＋  マイクロホン・拡声器
９・  ラジオ体操録音内蔵再生機能  ＋  歩数計
【００１２】考案の名称と技術分野での録音はラジオ体操であるが、ラジオ体操に限らず、他のあらゆる分野に応用は可能である。また、図１・に示した他に、複数のスイッチを設けて、複数の録音内蔵再生も可能である。
【利用の可能性】
【００１３】健康で長寿国を目指すには、子供・大人・年配者をとわず、健康管理が大切である。
全国的に、ウオ−キングによる健康増進が盛んになてきており、地域のグル−プや、家族全員で体操を楽しむようになる。また、地震など災害緊急情報源として防災ラジオを一家に一台〜二台・暮らしの安心安全の必需品として保有する可能性はある。
【００１４】技術分野の応用−ラジオ体操を（例）童話集、短篇小説など書物・古典音楽、流行歌など音楽・教育面では数学、理科、英語、歴史の基礎的事項の暗記を要する事項などの利用の可能性は大きい。
【図面の簡単な説明】
【００１４】
【図１】  この考案（大・中・小）の一実施形態を示す斜視図である。（本体表面）
【図２】  この考案（大・中・小）の一実施形態を示す斜視図である。（本体内面）
【図３】  この考案（大・中・小）の一実施形態を示す斜視図である。（本体裏面）＊小型形態は帽子などに差込み・掛け止め方式も可能
【符号の説明】  １  スイッチ・ボリュウム（左回りラジオ、右回りラジオ体操）本体表面又は側面  ２  スピ−カ−  ３  音声が聞こえる穴  ４  発振機  ５  公共放送ＡＭ第一自動受信機  ６  マイコン  ７  音声ＬＳＩ  ８  電池（又は充電式）  ９  電池交換口（又は充電式）  １０  ハンドストラップ  １１  帽子などに差込み・掛け止め
＊形態  大・中・小の３型（横１０ｃｍ〜５ｃｍ・高さ６ｃｍ〜３・５ｃｍ・幅３ｃｍ〜１・３ｃｍ）
【図１】
0003182918.tif 000003
【図２】
0003182918.tif 000004
【図３】
0003182918.tif 000005